(57)【要約】【課題】冷蔵庫内を撮影する撮影指示を不要とし、いつでも最新の冷蔵庫の中身を把握可能にする。【解決手段】制御装置１のカメラ制御部１１１および庫内灯制御部１１２はそれぞれ、冷蔵庫２の開閉センサ８から冷蔵庫２の扉および／または引き出しが開いたことを示す検出情報を受信すると、カメラ７および庫内灯６を起動し、開閉センサ８から冷蔵庫２の扉および／または引き出しが閉じたことを示す検出情報を受信すると、カメラ７に庫内を撮影する撮影指示を送る。Ａ−Ｄ変換部１１３は、冷蔵庫２のカメラ７から庫内の撮影画像を示す画像信号を受信し、デジタル画像信号に変換する。画像データ生成部１１４は、Ａ−Ｄ変換部１１３が変換したデジタル画像信号を圧縮し、画像データを生成する。記憶部１１５は、画像データ生成部１１４が生成した画像データを記憶し、通信部１１６は、記憶部１１５に記憶された画像データを携帯端末３に送信する。【選択図】図３
2015025640.tif 000002
【特許請求の範囲】
【請求項１】
冷蔵庫と、前記冷蔵庫を制御する制御装置と、前記制御装置とネットワークを介して接続される携帯端末で構成される冷蔵庫内記録システムであって、
前記冷蔵庫は、
前記冷蔵庫の扉および／または引き出しの開閉を検出し、検出した扉および／または引き出しの開閉を示す検出情報を前記制御装置に送信する開閉センサと、
庫内を照明する庫内灯と、
庫内を撮影し、撮影した画像を示す画像信号を前記制御装置に送信するカメラを備え、
前記制御装置は、
前記開閉センサから扉および／または引き出しが開いたことを示す検出情報を受信した場合に、前記カメラを起動させ、前記開閉センサから扉および／または引き出しが閉じたことを示す検出情報を受信した場合に、前記カメラに庫内を撮影させるカメラ制御部と、
前記カメラから前記画像信号を受信し、受信した前記画像信号から画像データを生成する画像データ生成部と、
前記画像データ生成部が生成した画像データを記憶する記憶部と、
前記記憶部に記憶された最新の画像データを前記携帯端末に送信する通信部を備える冷蔵庫内記録システム。
【請求項２】
前記制御装置は、
前記開閉センサから扉および／または引き出しが開いたことを示す検出情報を受信した場合に、前記庫内灯を点灯させ、前記開閉センサから扉および／または引き出しが閉じたことを示す検出情報を受信した場合に、前記カメラの撮影時間よりも長い設定時間経過後に前記庫内灯を消灯させる庫内灯制御部をさらに備える請求項１に記載の冷蔵庫内記録システム。
【請求項３】
前記画像データ生成部は、前記記憶部に過去の画像データがある場合、直近に記憶された画像データを呼び出し、呼び出した画像データと前記カメラから受信した前記画像信号から生成した画像データとの差分を示す画像差分情報を生成し、
前記記憶部は、前記画像データ生成部が生成した画像差分情報を記憶し、
前記通信部は、前記記憶部に記憶された最新の画像差分情報を前記携帯端末に送信する請求項１または２に記載の冷蔵庫内記録システム。
【請求項４】
前記冷蔵庫は、
前記冷蔵庫内の物品の重量を計測し、計測した重量を示す重量信号を前記制御装置に送信する重量センサをさらに備え、
前記制御装置は、
前記開閉センサから扉および／または引き出しが開いたことを示す検出情報を受信した場合に、前記重量センサを起動させ、前記開閉センサから扉および／または引き出しが閉じたことを示す検出情報を受信した場合に、前記重量センサに物品の重量を計測させるセンサ制御部と、
前記重量センサから前記重量信号を受信し、前記重量信号から重量データを生成する重量データ生成部と、
前記画像データ生成部が生成した画像データおよび前記重量データ生成部が生成した重量データから、提示情報を生成する処理部をさらに備え、
前記記憶部は、前記処理部が生成した提示情報を記憶し、
前記通信部は、前記記憶部に記憶された最新の提示情報を前記携帯端末に送信する請求項１または２に記載の冷蔵庫内記録システム。
【請求項５】
前記画像データ生成部は、前記記憶部に過去の画像データがある場合、直近に記憶された画像データを呼び出し、呼び出した画像データと前記カメラから受信した前記画像信号から生成した画像データとの差分を示す画像差分情報を生成し、
前記重量データ生成部は、前記記憶部に過去の重量データがある場合、直近に記憶された重量データを呼び出し、呼び出した重量データと前記重量センサから受信した前記重量信号から生成した重量データとの差分を示す重量差分情報を生成し、
前記処理部は、前記画像データ生成部が生成した画像差分情報および前記重量データ生成部が生成した重量差分情報から、提示情報を生成する請求項４に記載の冷蔵庫内記録システム。
【請求項６】
ネットワークを介して携帯端末と接続し、扉および／または引き出しの開閉を検出する開閉センサと庫内を撮影するカメラと庫内を照明する庫内灯を備える冷蔵庫を制御する制御装置であって、
前記開閉センサから扉および／または引き出しが開いたことを示す検出情報を受信した場合に、前記カメラを起動させ、前記開閉センサから扉および／または引き出しが閉じたことを示す検出情報を受信した場合に、前記カメラに庫内を撮影させるカメラ制御部と、
前記カメラから庫内を撮影した画像を示す画像信号を受信し、受信した前記画像信号から画像データを生成する画像データ生成部と、
前記画像データ生成部が生成した画像データを記憶する記憶部と、
前記記憶部に記憶された最新の画像データを前記携帯端末に送信する通信部を備える制御装置。
【請求項７】
扉および／または引き出しの開閉を検出する開閉センサと庫内を撮影するカメラと庫内を照明する庫内灯を備える冷蔵庫と、前記冷蔵庫を制御する制御装置と、前記制御装置とネットワークを介して接続される携帯端末で構成される冷蔵庫内記録システムが実行する冷蔵庫内記録方法であって、
前記開閉センサが実行する
前記冷蔵庫の扉および／または引き出しの開閉を検出し、検出した扉および／または引き出しの開閉を示す検出情報を前記制御装置に送信する検出送信ステップと、
前記制御装置が実行する
前記開閉センサから扉および／または引き出しが開いたことを示す検出情報を受信した場合に、前記カメラを起動させ、前記開閉センサから扉および／または引き出しが閉じたことを示す検出情報を受信した場合に、前記カメラに庫内を撮影させるカメラ制御ステップと、
前記庫内灯が実行する
庫内を照明する照明ステップと、
前記カメラが実行する
庫内を撮影し、撮影した画像を示す画像信号を前記制御装置に送信する撮影送信ステップと、
前記制御装置が実行する
前記カメラから前記画像信号を受信し、受信した前記画像信号から画像データを生成する画像データ生成ステップと、
前記画像データ生成ステップで生成した画像データを記憶する記憶ステップと、
前記記憶ステップで記憶された最新の画像データを前記携帯端末に送信する通信ステップを備える冷蔵庫内記録方法。
【発明の詳細な説明】
【技術分野】
【０００１】
本発明は、冷蔵庫の中身を記録する冷蔵庫内記録システム、制御装置、および、冷蔵庫内記録方法に関する。
【背景技術】
【０００２】
一般的に、冷蔵庫内の食材などを把握する為には庫内を開け、確認・記録する必要がある。その確認・記録をしている間、庫内の冷気が逃げ、再度冷やす為に電気エネルギーが使用される。また、食材などを購入する際、庫内の情報を記録したメモなどが無い場合や、紛失した場合は記憶を頼りに購入する必要があり、重複したり、不足したりすることがある。
【０００３】
特許文献１には、冷蔵庫内の在庫の収納品の状況を外部から見られるようにした冷蔵庫収納品画像表示システムが開示されている。
【先行技術文献】
【特許文献】
【０００４】
【特許文献１】特開２００３−９０６７３号公報
【発明の概要】
【発明が解決しようとする課題】
【０００５】
特許文献１の冷蔵庫収納品画像表示システムでは、外出先で冷蔵庫内の状況を確認する為には、携帯端末から冷蔵庫への撮影指示が必要となり、最新の冷蔵庫の中身をすぐに確認できない。
【０００６】
本発明は、上述のような事情に鑑みてなされたもので、冷蔵庫内を撮影する撮影指示を不要とし、いつでも最新の冷蔵庫の中身を把握可能にすることを目的とする。
【課題を解決するための手段】
【０００７】
上記目的を達成するため、本発明に係る冷蔵庫内記録システムは、冷蔵庫と、冷蔵庫を制御する制御装置と、制御装置とネットワークを介して接続される携帯端末で構成される。冷蔵庫は、冷蔵庫の扉および／または引き出しの開閉を検出し、検出した扉および／または引き出しの開閉を示す検出情報を制御装置に送信する開閉センサと、庫内を照明する庫内灯と、庫内を撮影し、撮影した画像を示す画像信号を制御装置に送信するカメラを備える。制御装置は、開閉センサから扉および／または引き出しが開いたことを示す検出情報を受信した場合に、カメラを起動させ、開閉センサから扉および／または引き出しが閉じたことを示す検出情報を受信した場合に、カメラに庫内を撮影させるカメラ制御部と、カメラから画像信号を受信し、受信した画像信号から画像データを生成する画像データ生成部と、画像データ生成部が生成した画像データを記憶する記憶部と、記憶部に記憶された最新の画像データを携帯端末に送信する通信部を備える。
【発明の効果】
【０００８】
本発明によれば、冷蔵庫の扉および／または引き出しを閉めた時に冷蔵庫の中身を撮影し、自動的に携帯端末に送信することで、冷蔵庫内を撮影する撮影指示が不要となり、いつでも最新の冷蔵庫の中身が把握可能になる。
【図面の簡単な説明】
【０００９】
【図１】本発明の実施の形態１に係る冷蔵庫内記録システムの構成例を示す図である。
【図２】実施の形態１に係る冷蔵庫の内部の一例を示す図である。
【図３】実施の形態１に係る制御装置の機能構成例を示すブロック図である。
【図４】実施の形態１に係る冷蔵庫内記録処理の動作の一例を示すフローチャートである。
【図５】実施の形態１に係る冷蔵庫内記録処理の動作の一例を示すフローチャートである。
【図６】本発明の実施の形態２に係る制御装置の機能構成例を示すブロック図である。
【図７】実施の形態２に係る冷蔵庫内記録処理の動作の一例を示すフローチャートである。
【発明を実施するための形態】
【００１０】
以下に、本発明を実施するための形態について図面を参照して詳細に説明する。なお、図中同一または相当する部分には同じ符号を付す。
【００１１】
（実施の形態１）
図１は、本発明の実施の形態１に係る冷蔵庫内記録システムの構成例を示す図である。冷蔵庫内記録システム１００は、冷蔵庫２と、冷蔵庫２を制御する制御装置１と、制御装置１とネットワーク４で接続された携帯端末３で構成される。
【００１２】
冷蔵庫２は、例えばコンプレッサを備え、庫内の物品を冷却する。図１の例では、上段Ａは、左右に開く扉式の冷蔵室、中段Ｂは、引き出し式の冷凍室、下段Ｃは、左右に開く扉式の野菜室である。冷蔵庫２には、扉および引き出しの開閉を検出する開閉センサや庫内を照明する庫内灯、庫内を撮影するカメラなどの装置が設置されている。冷蔵庫２の内部を、図２を参照して説明する。
【００１３】
図２は、実施の形態１に係る冷蔵庫の内部の一例を示す図である。冷蔵庫２の扉および引き出しの前面には、扉および引き出しの開閉を検出する開閉センサ８が設置されている。冷蔵庫２の開閉センサ８は、扉および引き出しの開閉を示す検出情報を制御装置１に送信する。また、上段Ａおよび下段Ｃの扉にはそれぞれドアポケット９が備えられており、物品を収納することができる。
【００１４】
冷蔵庫２の内壁には、庫内を照明する庫内灯６および庫内を撮影するカメラ７が設置されている。図２の例では、整理棚５のある上段Ａおよび下段Ｃの庫内灯６は、整理棚５で区切られたスペースごとに奥の壁面に設置されており、カメラ７は、整理棚５で区切られたスペースごとに左右いずれかの横の壁面に設置されている。中段Ｂの庫内灯６およびカメラ７は、引き出しごとに天井面に設置されている。
【００１５】
庫内灯６およびカメラ７の配置はこれに限らず、冷蔵庫２の庫内を撮影する必要な範囲に設置すればよい。例えば、中段Ｂの引き出し式の冷凍室の場合、画像で物品を判断しにくいので、カメラ７はなくてもよい。また、開閉センサ８も扉および引き出しの前面に限らず、冷蔵庫２の本体部に設置されてもよい。
【００１６】
図１に戻り、制御装置１は、冷蔵庫２の庫内灯６、カメラ７および開閉センサ８を制御する装置である。制御装置１は、開閉センサ８から扉および引き出しが開いたことを示す検出情報を受信すると、庫内灯６およびカメラ７を起動させる。庫内灯６は、起動すると点灯し、庫内を照明する。カメラ７は、庫内を撮影し、撮影した画像を示す画像信号を制御装置１に送信する。制御装置１は、受信した画像信号に所定の処理を実行して、画像データを生成する。制御装置１は、生成した最新の画像データを、ネットワーク４を介して携帯端末３に送信する。
【００１７】
携帯端末３は、制御装置１から受信した画像データを画面に表示する。携帯端末３は、代表して１台記載しているが、２台以上であってもよい。
【００１８】
図３は、実施の形態１に係る制御装置の機能構成例を示すブロック図である。制御装置１は、冷蔵庫２の開閉センサ８から検出情報を受信し、受信した検出情報に基づいてカメラ７を制御するカメラ制御部１１１と、開閉センサ８から検出情報を受信し、受信した検出情報に基づいて庫内灯６を制御する庫内灯制御部１１２と、冷蔵庫２のカメラ７から画像信号を受信し、デジタル画像信号に変換するＡ−Ｄ変換部１１３と、Ａ−Ｄ変換部１１３が変換したデジタル画像信号から画像データを生成する画像データ生成部１１４と、画像データ生成部１１４が生成した画像データを記憶する記憶部１１５と、記憶部１１５に記憶された画像データを携帯端末３に送信する通信部１１６を備える。
【００１９】
カメラ制御部１１１は、冷蔵庫２の扉が開いたことを示す検出情報を受信すると、カメラ７に起動指示信号を送信する。カメラ７は、起動指示信号を受信すると起動する。カメラ制御部１１１は、冷蔵庫２の扉が閉じたことを示す検出情報を受信すると、カメラ７に撮影指示信号を送信する。カメラ７は、撮影指示信号を受信すると、庫内を撮影し、撮影した画像を示す画像信号をＡ−Ｄ変換部１１３に送信する。
【００２０】
庫内灯制御部１１２は、冷蔵庫２の扉が開いたことを示す検出情報を受信すると、庫内灯６に起動指示信号を送信する。庫内灯６は、起動指示信号を受信すると起動して点灯する。庫内灯制御部１１２は、冷蔵庫２の扉が閉じたことを示す検出情報を受信すると、庫内灯６に消灯信号を送信する。庫内灯６は、消灯信号を受信すると、設定時間経過後、消灯する。設定時間とは、あらかじめ設定されたカメラ７が撮影に要する時間以上の時間である。なお、庫内灯６は常時起動している構成にしてもよい。この場合、庫内灯制御部１１２は、なくてもよい。
【００２１】
Ａ−Ｄ変換部１１３は、カメラ７から画像信号を受け取ると、デジタル変換処理を行い、デジタル画像信号を生成する。Ａ−Ｄ変換部１１３は、生成したデジタル画像信号を画像データ生成部１１４に送る。
【００２２】
画像データ生成部１１４は、Ａ−Ｄ変換部１１３から受け取ったデジタル画像信号から、ＪＰＥＧなどの圧縮手段を用いて、画像データを生成する。画像データ生成部１１４は、生成した画像データを記憶部１１５に記憶する。
【００２３】
通信部１１６は、画像データが記憶部１１５に記憶されると、最新の画像データを、ネットワーク４を介して携帯端末３に送信する。
【００２４】
ここで、冷蔵庫内記録システム１００の動作についてフローチャートを用いて説明する。
【００２５】
図４は実施の形態１に係る冷蔵庫内記録処理の動作の一例を示すフローチャートである。冷蔵庫内記録処理１は、冷蔵庫２および制御装置１に電源が投入されると開始する。
【００２６】
カメラ制御部１１１および庫内灯制御部１１２は、冷蔵庫２の扉が開いたことを示す検出情報を受信すると（ステップＳ１１；ＹＥＳ）、それぞれカメラ７および庫内灯６に起動指示信号を送信し、カメラ７および庫内灯６を起動させる（ステップＳ１２）。庫内灯６は、起動すると点灯する。冷蔵庫２の扉が開いたことを示す検出情報を受信しない場合（ステップＳ１１；ＮＯ）、カメラ制御部１１１および庫内灯制御部１１２は、ステップＳ１１を繰り返して、扉が開いたことを示す検出情報の受信を待機する。
【００２７】
カメラ制御部１１１は、冷蔵庫２の扉が閉じたことを示す検出情報を受信すると（ステップＳ１３；ＹＥＳ）、カメラ７に撮影指示信号を送信する。カメラ７は、撮影指示信号を受信すると、庫内を撮影し（ステップＳ１４）、撮影した画像を示す画像信号をＡ−Ｄ変換部１１３に送信する。
【００２８】
庫内灯制御部１１２は、冷蔵庫２の扉が閉じたことを示す検出情報を受信すると（ステップＳ１３；ＹＥＳ）、庫内灯６に消灯信号を送信する。庫内灯６は、消灯信号を受信すると、設定時間経過後、消灯する（ステップＳ１５）。冷蔵庫２の扉が閉じたことを示す検出情報を受信しない場合（ステップＳ１３；ＮＯ）、カメラ制御部１１１および庫内灯制御部１１２は、ステップＳ１３を繰り返して、扉が閉じたことを示す検出情報の受信を待機する。
【００２９】
Ａ−Ｄ変換部１１３は、カメラ７から画像信号を受け取ると、デジタル変換処理を行い、デジタル画像信号を生成する（ステップＳ１６）。Ａ−Ｄ変換部１１３は、生成したデジタル画像信号を画像データ生成部１１４に送る。
【００３０】
画像データ生成部１１４は、Ａ−Ｄ変換部１１３から受け取ったデジタル画像信号を圧縮し、画像データを生成する（ステップＳ１７）。画像データ生成部１１４は、生成した画像データを記憶部１１５に記憶する（ステップＳ１８）。
【００３１】
通信部１１６は、画像データが記憶部１１５に記憶されると、最新の画像データを、ネットワーク４を介して携帯端末３に送信し（ステップＳ１９）、処理を終了する。
【００３２】
制御装置１は、直近の画像データとの差分を示す画像差分情報を携帯端末３に送信する構成にしてもよい。この場合、画像データ生成部１１４は、記憶部１１５から直近に記憶された画像データを呼び出し、Ａ−Ｄ変換部１１３から受け取ったデジタル画像信号から生成した画像データとの差分を算出する。画像データ生成部１１４は、算出した差分を示す画像差分情報を生成し、記憶部１１５に記憶する。
【００３３】
通信部１１６は、画像差分情報が記憶部１１５に記憶されると、最新の画像差分情報を、ネットワーク４を介して携帯端末３に送信する。通信部１１６は、直近の画像データがない場合には、画像データ生成部１１４が記憶部１１５に記憶した最新の画像データを、ネットワーク４を介して携帯端末３に送信する。
【００３４】
この構成における冷蔵庫内記録システム１００の動作についてフローチャートを用いて説明する。
【００３５】
図５は実施の形態１に係る冷蔵庫内記録処理の動作の一例を示すフローチャートである。冷蔵庫内記録処理２は、冷蔵庫２および制御装置１に電源が投入されると開始する。
【００３６】
ステップＳ２１〜ステップＳ２８は、図４のフローチャートのステップＳ１１〜ステップＳ１８と同様である。
【００３７】
記憶部１１５に直近に記憶された画像データがない場合（ステップＳ２９；ＮＯ）、通信部１１６は、画像データ生成部１１４が記憶部１１５に記憶した最新の画像データを、ネットワーク４を介して携帯端末３に送信し（ステップＳ３０）、処理を終了する。
【００３８】
記憶部１１５に直近に記憶された画像データがある場合（ステップＳ２９；ＹＥＳ）、画像データ生成部１１４は、記憶部１１５から直近に記憶された画像データを呼び出し、Ａ−Ｄ変換部１１３から受け取ったデジタル画像信号から生成した画像データとの差分があるか否かを判定する（ステップＳ３１）。
【００３９】
画像データ生成部１１４は、直近の画像データと生成した画像データとに差分がある場合（ステップＳ３１；ＹＥＳ）、直近の画像データと生成した画像データとに差分を示す画像差分情報を生成し（ステップＳ３２）、記憶部１１５に記憶する。
【００４０】
通信部１１６は、画像差分情報が記憶部１１５に記憶されると、最新の画像差分情報を、ネットワーク４を介して携帯端末３に送信し（ステップＳ３３）、処理を終了する。画像データ生成部１１４は、直近の画像データと生成した画像データとに差分がない場合（ステップＳ３１；ＮＯ）、処理を終了する。
【００４１】
なお、画像データ生成部１１４は、直近の画像データと生成した画像データとに差分がない場合、差分がないことを示すデータを生成し、通信部１１６は、これを携帯端末３に送信してもよい。
【００４２】
以上説明したように実施の形態１の冷蔵庫内記録システム１００によれば、冷蔵庫内を撮影する撮影指示が不要となり、いつでも最新の冷蔵庫の中身が把握可能になる。これにより、食材などを購入する際、重複したり、不足したりすることを防止することができる。
【００４３】
（実施の形態２）
実施の形態２の冷蔵庫内記録システム２００は、実施の形態１の冷蔵庫内記録システム１００と同様に、冷蔵庫２と、冷蔵庫２を制御する制御装置１と、制御装置１とネットワーク４で接続された携帯端末３で構成される。冷蔵庫内記録システム２００は、冷蔵庫内記録システム１００の構成に加えて、庫内の物品の重量を計測する構成を有する。
【００４４】
冷蔵庫２の上段Ａおよび下段Ｃの整理棚５およびドアポケット９と、中段Ｂの引き出しの底面には、物品を置くスペースごとに重量センサ１０が設置されている。例えば、紙パック牛乳のような画像では内容量が分からないものを置くスペースの底面に設置される重量センサ１０により、内容量の増減を検出することができる。制御装置１は、開閉センサ８から扉および引き出しが開いたことを示す検出情報を受信すると、庫内灯６およびカメラ７に加え、重量センサ１０を起動させる。
【００４５】
重量センサ１０は、整理棚５およびドアポケット９に置かれた物品の重量を計測し、計測した重量を示す重量信号を制御装置１に送信する。制御装置１は、重量センサ１０から受信した重量信号およびカメラ７から受信した画像信号に所定の処理を実行して、それぞれ重量データおよび画像データを生成し、これらのデータから提示情報を生成する。制御装置１は、生成した提示情報を、ネットワーク４を介して携帯端末３に送信する。
【００４６】
図６は、本発明の実施の形態２に係る制御装置の機能構成例を示すブロック図である。実施の形態２の制御装置１は、実施の形態１の制御装置１と同様に、カメラ制御部１１１と、庫内灯制御部１１２と、Ａ−Ｄ変換部１１３と、画像データ生成部１１４と、記憶部１１５と、通信部１１６を備える。Ａ−Ｄ変換部１１３は、重量センサ１０から重量信号を受信し、デジタル重量信号に変換する機能をさらに備える。また、画像データ生成部１１４は、生成した画像データを処理部１１９に送る。
【００４７】
制御装置１は、これらの機能構成に加え、冷蔵庫２の開閉センサ８から検出情報を受信し、受信した検出情報に基づいて重量センサ１０を制御するセンサ制御部１１７と、Ａ−Ｄ変換部１１３が変換したデジタル重量信号から重量データを生成する重量データ生成部１１８と、画像データ生成部１１４が生成した画像データおよび重量データ生成部１１８が生成した重量データから、提示情報を生成する処理部１１９を備える。
【００４８】
センサ制御部１１７は、冷蔵庫２の扉が開いたことを示す検出情報を受信すると重量センサ１０に起動指示信号を送信する。重量センサ１０は、起動指示信号を受信すると起動する。センサ制御部１１７は、冷蔵庫２の扉が閉じたことを示す検出情報を受信すると、重量センサ１０に計測指示信号を送信する。
【００４９】
重量センサ１０は、計測指示信号を受信すると、置かれた物品の重量を計測し、計測した重量を示す重量信号をＡ−Ｄ変換部１１３に送信する。Ａ−Ｄ変換部１１３は、重量センサ１０から受信した重量信号をデジタル重量信号に変換して、重量データ生成部１１８に送る。重量データ生成部１１８は、Ａ−Ｄ変換部１１３から受け取ったデジタル重量信号から重量データを生成し、処理部１１９に送る。
【００５０】
処理部１１９は、画像データ生成部１１４から受け取った画像データおよび重量データ生成部１１８から受け取った重量データから提示情報を生成し、記憶部１１５に記憶する。
【００５１】
例えば、処理部１１９は、画像データと重量データを組み合わせた提示情報を生成してもよいし、画像データおよび／または重量データの変化を検出し、画像データおよび／または重量データの変化した部分だけを示す提示情報を生成してもよい。あるいは、画像データおよび／または重量データが変化したと判定した場合にのみ提示情報を生成してもよい。
【００５２】
画像データおよび／または重量データの変化した部分だけを示す提示情報を生成し、または、画像データおよび／または重量データが変化した場合にのみ提示情報を生成し、携帯端末３に送信することで、処理負荷が軽減され、メモリの節約が可能となる。
【００５３】
通信部１１６は、提示情報が記憶部１１５に記憶されると、最新の提示情報を、ネットワーク４を介して携帯端末３に送信する。
【００５４】
ここで、冷蔵庫内記録システム２００の動作についてフローチャートを用いて説明する。
【００５５】
図７は実施の形態２に係る冷蔵庫内記録処理の動作の一例を示すフローチャートである。冷蔵庫内記録処理３は、冷蔵庫２および制御装置１に電源が投入されると開始する。
【００５６】
カメラ制御部１１１、庫内灯制御部１１２およびセンサ制御部１１７は、冷蔵庫２の扉が開いたことを示す検出情報を受信すると（ステップＳ４１；ＹＥＳ）、それぞれカメラ７、庫内灯６および重量センサ１０に起動指示信号を送信し、カメラ７、庫内灯６および重量センサ１０を起動させる（ステップＳ４２）。庫内灯６は、起動すると点灯する。冷蔵庫２の扉が開いたことを示す検出情報を受信しない場合（ステップＳ４１；ＮＯ）、カメラ制御部１１１、庫内灯制御部１１２およびセンサ制御部１１７は、ステップＳ４１を繰り返して、扉が開いたことを示す検出情報の受信を待機する。
【００５７】
カメラ制御部１１１は、冷蔵庫２の扉が閉じたことを示す検出情報を受信すると（ステップＳ４３；ＹＥＳ）、カメラ７に撮影指示信号を送信する。カメラ７は、撮影指示信号を受信すると、庫内を撮影し（ステップＳ４４）、撮影した画像を示す画像信号をＡ−Ｄ変換部１１３に送信する。
【００５８】
センサ制御部１１７は、冷蔵庫２の扉が閉じたことを示す検出情報を受信すると（ステップＳ４３；ＹＥＳ）、重量センサ１０に計測指示信号を送信する。重量センサ１０は、計測指示信号を受信すると、置かれた物品の重量を計測し（ステップＳ４５）、計測した重量を示す重量信号をＡ−Ｄ変換部１１３に送信する。
【００５９】
庫内灯制御部１１２は、冷蔵庫２の扉が閉じたことを示す検出情報を受信すると（ステップＳ４３；ＹＥＳ）、庫内灯６に消灯信号を送信する。庫内灯６は、消灯信号を受信すると、設定時間経過後、消灯する（ステップＳ４６）。冷蔵庫２の扉が閉じたことを示す検出情報を受信しない場合（ステップＳ４３；ＮＯ）、カメラ制御部１１１、庫内灯制御部１１２およびセンサ制御部１１７は、ステップＳ４３を繰り返して、扉が閉じたことを示す検出情報の受信を待機する。
【００６０】
Ａ−Ｄ変換部１１３は、カメラ７および重量センサ１０からそれぞれ画像信号および重量信号を受け取ると、デジタル変換処理を行い、デジタル画像信号およびデジタル重量信号を生成する（ステップＳ４７）。Ａ−Ｄ変換部１１３は、生成したデジタル画像信号およびデジタル重量信号をそれぞれ、画像データ生成部１１４および重量データ生成部１１８に送る。
【００６１】
画像データ生成部１１４および重量データ生成部１１８は、Ａ−Ｄ変換部１１３から受け取ったデジタル画像信号およびデジタル重量信号から、それぞれ画像データおよび重量データを生成し（ステップＳ４８）、処理部１１９に送る。
【００６２】
処理部１１９は、画像データ生成部１１４から受け取った画像データおよび重量データ生成部１１８から受け取った重量データから提示情報を生成する（ステップＳ４９）、処理部１１９は、生成した提示情報を記憶部１１５に記憶する（ステップＳ５０）。
【００６３】
通信部１１６は、提示情報が記憶部１１５に記憶されると、最新の提示情報を、ネットワーク４を介して携帯端末３に送信し（ステップＳ５１）、処理を終了する。
【００６４】
また、制御装置１は、直近の画像データおよび重量データとの差分を示す提示情報を携帯端末３に送信する構成にしてもよい。この場合、画像データ生成部１１４は、記憶部１１５から直近に記憶された画像データを呼び出し、Ａ−Ｄ変換部１１３から受け取ったデジタル画像信号から生成した画像データとの差分を算出する。画像データ生成部１１４は、算出した画像データの差分を示す画像差分情報を処理部１１９に送る。
【００６５】
また、重量データ生成部１１８は、記憶部１１５から直近に記憶された重量データを呼び出し、Ａ−Ｄ変換部１１３から受け取ったデジタル重量信号から生成した重量データとの差分を算出する。重量データ生成部１１８は、算出した重量データの差分を示す重量差分情報を処理部１１９に送る。処理部１１９は、画像差分情報および重量差分情報から提示情報を生成し、記憶部１１５に記憶する。
【００６６】
処理部１１９は、直近の画像データおよび重量データがない場合には、画像データ生成部１１４および重量データ生成部１１８がそれぞれ記憶部１１５に記憶した最新の画像データおよび重量データから提示情報を生成する。
【００６７】
このように、本実施の形態２にかかる冷蔵庫内記録システム２００によれば、庫内を撮影した画像に変化はないが、物品の内容量が減少している場合も把握することができる。
【００６８】
また、上述の機能を、ＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを媒体に格納してもよい。
【００６９】
さらに、搬送波に各プログラムを重畳し、通信ネットワークを介して配信することも可能である。例えば、通信ネットワーク上の掲示板（ＢＢＳ、Ｂｕｌｌｅｔｉｎ  Ｂｏａｒｄ  Ｓｙｓｔｅｍ）に当該プログラムを掲示し、ネットワークを介して当該プログラムを配信してもよい。そして、これらのプログラムを起動し、オペレーティングシステムの制御下で、他のアプリケーションプログラムと同様に実行することにより、上述の処理を実行できるように構成してもよい。
【００７０】
上記実施の形態は、いずれも本発明の趣旨の範囲内で各種の変形が可能である。上記実施の形態は本発明を説明するためのものであり、本発明の範囲を限定することを意図したものではない。本発明の範囲は実施の形態よりも添付した請求項によって示される。請求項の範囲内、および発明の請求項と均等の範囲でなされた各種変形は本発明の範囲に含まれる。
【符号の説明】
【００７１】
１  制御装置、２  冷蔵庫、３  携帯端末、４  ネットワーク、５  整理棚、６  庫内灯、７  カメラ、８  開閉センサ、９  ドアポケット、１０  重量センサ、１００  冷蔵庫内記録システム、１１１  カメラ制御部、１１２  庫内灯制御部、１１３  Ａ−Ｄ変換部、１１４  画像データ生成部、１１５  記憶部、１１６  通信部、１１７  センサ制御部、１１８  重量データ生成部、１１９  処理部、２００  冷蔵庫内記録システム。
【図１】
2015025640.tif 000003
【図２】
2015025640.tif 000004
【図３】
2015025640.tif 000005
【図４】
2015025640.tif 000006
【図５】
2015025640.tif 000007
【図６】
2015025640.tif 000008
【図７】
2015025640.tif 000009